(57)【要約】空気調和機の室内機（１００）は、外郭を形成するケーシング（１）と、ケーシングの前面に、前方へ向かって回動自在に取り付けられ、ケーシングの前面を開閉させる前面パネル（４）と、を備えている。ケーシングの前面側の側縁辺には、前面パネルの側縁辺に対向し、内方に向かって傾斜する傾斜面部（５）が形成されている。傾斜面部には、閉じた状態の前面パネルを前方へ回動させる際に、使用者が指を掛ける凹状の指掛け部（５０）が、前面側から背面側に向かって漸次狭まる台形状として設けられている。
2019180782.tif 000002
【特許請求の範囲】
【請求項１】
外郭を形成するケーシングと、  前記ケーシングの前面に、前方へ向かって回動自在に取り付けられ、前記ケーシングの前面を開閉させる前面パネルと、を備え、  前記ケーシングの前面側の側縁辺には、前記前面パネルの側縁辺に対向し、内方に向かって傾斜する傾斜面部が形成され、  前記傾斜面部には、閉じた状態の前記前面パネルを前方へ回動させる際に、使用者が指を掛ける凹状の指掛け部が、前面側から背面側に向かって漸次狭まる台形状として設けられている、空気調和機の室内機。
【請求項２】
前記ケーシングと前記前面パネルとには、前記前面パネルを閉じた状態において、互いに係合する係合構造部が設けられており、  前記指掛け部は、前記係合構造部に隣接する位置に設けられている、請求項１に記載の空気調和機の室内機。
【請求項３】
前記指掛け部は、前記係合構造部によって前記ケーシングの内面側が塞がれている、請求項２に記載の空気調和機の室内機。
【発明の詳細な説明】
【技術分野】
【０００１】  本発明は、ケーシングの前面を開閉させる前面パネルを備えた空気調和機の室内機に関するものである。
【背景技術】
【０００２】  従来、空気調和機の室内機は、外郭を形成するケーシングと、ケーシングの前面に前方へ向かって回動自在に取り付けられ、ケーシングの前面を開閉させる意匠用の前面パネルと、を有する構成が知られている。ケーシングの前面には、室内空気を内部に取り込むための吸込口が形成されている。吸込口には、空調対象空間の塵埃を捕集するフィルタが設けられている。室内機は、メンテナンス等の際に、前面パネルを回動させて、ケーシングの前面側を開く構成である。【０００３】  例えば特許文献１の空気調和機では、ケーシングから前面パネルを取り外す際に、使用者の手を掛ける手掛け凹部が、前面パネルとケーシングとの境界部分に設けられた構成である。特許文献１に開示された手掛け凹部は、前面パネルを取り外す際の作業性を第一に考えた形状及び大きさで構成されている。
【先行技術文献】
【特許文献】
【０００４】
【特許文献１】特開平０９−２１０４０１号公報
【発明の概要】
【発明が解決しようとする課題】
【０００５】  ところで、室内機には、ケーシングの前面側の側縁辺に、内方に向かって傾斜する傾斜面部を有する構成がある。室内機は、傾斜面部を有することで、前面側から見た場合に奥行き感を呈することができ、使用者に高級な印象を与えることができる。しかし、室内機は、傾斜面部に手掛け凹部を設けると、ケーシングを前面側から見た場合に、手掛け凹部の存在が非常に目立ち、外観の意匠性が損なわれるおそれがある。【０００６】  本発明は、上記のような課題を解決するためになされたものであり、ケーシングの前面側に形成した傾斜面部に指掛け部を設けても、指掛け部としての機能を確保できると共に、ケーシングを前面側から見た場合に、その存在が目立たず、意匠性に優れた外観を呈することができる空気調和機の室内機を提供することを目的とする。
【課題を解決するための手段】
【０００７】  本発明に係る空気調和機の室内機は、外郭を形成するケーシングと、前記ケーシングの前面に、前方へ向かって回動自在に取り付けられ、前記ケーシングの前面を開閉させる前面パネルと、を備え、前記ケーシングの前面側の側縁辺には、前記前面パネルの側縁辺に対向し、内方に向かって傾斜する傾斜面部が形成され、前記傾斜面部には、閉じた状態の前記前面パネルを前方へ回動させる際に、使用者が指を掛ける凹状の指掛け部が、前面側から背面側に向かって漸次狭まる台形状として設けられているものである。
【発明の効果】
【０００８】  本発明によれば、凹状の指掛け部が、前面側から背面側に向かって漸次狭まる台形状として設けられているので、広幅部分で指掛け部としての機能を確保できると共に、前面側から見た場合に、狭幅部分でできるだけ存在を目立たなくすることができ、意匠性に優れた外観を呈することができる。
【図面の簡単な説明】
【０００９】
【図１】本発明の実施の形態に係る空気調和機の室内機を示した斜視図である。
【図２】本発明の実施の形態に係る空気調和機の室内機を示した正面図である。
【図３】本発明の実施の形態に係る空気調和機の室内機を示した側面図である。
【図４】本発明の実施の形態に係る空気調和機の室内機であって、前面パネルを開いた状態を示した斜視図である。
【図５】本発明の実施の形態に係る空気調和機の室内機を示した分解斜視図である。
【図６】図２に示したＸ−Ｘ線矢視断面図である。
【図７】図１に示したＹ部の拡大図である。
【図８】図１に示したＹ部であって、前面パネルを開いた状態を示した拡大図である。
【発明を実施するための形態】
【００１０】  以下に、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１１】  実施の形態．  図１は、本発明の実施の形態に係る空気調和機の室内機を示した斜視図である。図２は、本発明の実施の形態に係る空気調和機の室内機を示した正面図である。図３は、本発明の実施の形態に係る空気調和機の室内機を示した側面図である。図４は、本発明の実施の形態に係る空気調和機の室内機であって、前面パネルを開いた状態を示した斜視図である。図５は、本発明の実施の形態に係る空気調和機の室内機を示した分解斜視図である。図６は、図２に示したＸ−Ｘ線矢視断面図である。図７は、図１に示したＹ部の拡大図である。図８は、図１に示したＹ部であって、前面パネルを開いた状態を示した拡大図である。
【００１２】  本実施の形態に係る空気調和機の室内機１００は、屋外に設置された図示省略の室外機と冷媒配管で接続されて冷凍サイクルを構成するものである。室内機１００は、例えば部屋の壁面等に取り付けられて、室内の空調を行う。室内機１００は、図１〜図４に示すように、外郭を形成するケーシング１と、ケーシング１の前面に前方へ向かって回動自在に取り付けられ、ケーシング１の前面を開閉させる前面パネル４と、を備えている。
【００１３】  ケーシング１は、背面ケーシング２と、前面ケーシング３とを組み合わせて略直方体箱状とした構成である。図５に示すように、ケーシング１の内部には、熱交換器１０、送風ファン（図示は省略）、電気品箱１１、ドレンパン（図示は省略）、及びフィルタ１２等が収納されている。
【００１４】  背面ケーシング２は、ケーシング１の背面側を構成するものである。背面ケーシング２は、部屋の壁面に固定された据付板に外面側が取り付けられる。背面ケーシング２の内面側には、熱交換器１０、送風ファン、電気品箱１１、ドレンパンが取り付けられている。
【００１５】  前面ケーシング３は、ケーシング１の前面側を構成するものである。前面ケーシング３は、ネジ等の接合部材によって背面ケーシング２に取り付けられている。図４及び図５に示すように、前面ケーシング３の前面には、室内空気を内部に取り込むための前面吸込口３０が形成されている。また、図５に示すように、前面ケーシング３の上面には、室内空気を内部に取り込むための上面吸込口３１が形成されている。前面吸込口３０と上面吸込口３１は、空調対象空間の塵埃を回収する共通のフィルタ１２で覆われている。また、図１〜図４に示すように、前面ケーシング３の下部には、左右方向に延びる吹出口３２が形成されている。吹出口３２には、吹き出し風の上下方向の風向を調整する風向調整板１３が設けられている。
【００１６】  前面ケーシング３の左右の側縁辺には、前面パネル４の側縁辺に対向し、内方に向かって傾斜する傾斜面部５が形成されている。室内機１００は、傾斜面部５を有することで、前面側から見た場合に奥行き感を呈することができ、使用者に高級な印象を与えることができる。
【００１７】  前面パネル４は、前面ケーシング３の前面に形成された前面吸込口３０を覆うものである。前面パネル４は、回動機構部６によって前面ケーシング３の前面側に回動自在に取り付けられている。前面パネル４は、図１に示す前面ケーシング３の前面を閉じた位置から、図４に示す前面ケーシング３の前面を開いた位置まで回動させることができる。回動機構部６は、図５に示すように、前面パネル４の背面側の上部に設けられた回動軸６０と、前面ケーシング３の上部に設けられ、該回動軸６０を回動自在に支持する軸受部６１と、で構成されている。回動軸６０は、前面パネル４の幅方向の両端部に設けられている。軸受部６１は、前面ケーシング３の幅方向の両端部であって、回動軸６０に対応する位置に設けられている。なお、詳細に図示することは省略したが、回動軸６０は、例えば前面ケーシング３に向かって突き出したアームの先端に設けられている。
【００１８】  なお、図示した前面パネル４は、フラットな表面とした構成を示しているが、通気孔を有するグリルでもよい。また、回動機構部６は、上記構成に限定されず、ケーシング１の前面側に前面パネル４を回動自在に取り付けることができれば、他の形態でもよい。
【００１９】  また、室内機１００は、図４〜図６に示すように、ケーシング１と前面パネル４とが互いに係合する係合構造部７を有している。係合構造部７は、前面パネル４を閉じた状態において、前面ケーシング３と前面パネル４とを係合させて固定するものである。係合構造部７は、前面パネル４の背面側の下部に設けられた係止突起部７０と、前面ケーシング３の下部に設けられ、該係止突起部７０が嵌め込まれる係止溝部７１と、構成されている。係止突起部７０は、前面パネル４の幅方向の両端部に設けられている。係止溝部７１は、前面ケーシング３の幅方向の両端部であって、係止突起部７０に対応する位置に設けられている。なお、係合構造部７は、上記構成に限定されず、前面パネル４を閉じた状態において、前面ケーシング３と前面パネル４とを係合させて固定することができれば、他の形態でもよい。
【００２０】  熱交換器１０は、冷房運転時に、蒸発器として機能して空気を冷却し、暖房運転時に、凝縮器（放熱器）として機能して空気を加温するものである。熱交換器１０は、背面ケーシング２に装着されており、前面吸込口３０及び上面吸込口３１から吹出口３２までの風路であって、送風ファンの上流側に設けられている。なお、熱交換器１０は、たとえば冷媒配管を流れる冷媒とフィンを通過する空気との間で熱交換ができるようなプレートフィンアンドチューブ型熱交換器で構成するとよい。
【００２１】  送風ファンは、前面吸込口３０及び上面吸込口３１から室内空気を吸い込み、吹出口３２から空調空気を吹き出すものである。送風ファンは、背面ケーシング２に装着されており、前面吸込口３０及び上面吸込口３１から吹出口３２までの風路であって、熱交換器１０の下流側に設けられている。なお、送風ファンは、たとえばクロスフローファンで構成するとよい。
【００２２】  電気品箱１１は、室内機１００を制御する制御装置等が収納されており、背面ケーシング２に装着されている。制御装置は、例えばマイクロプロセッサユニット等で構成されている。ドレンパンは、熱交換器１０よりも下方に配置され、室内機１００の運転中に生じるドレン水を受けるために設けられている。
【００２３】  次に、本実施の形態の空気調和機の室内機１００の特徴について説明する。室内機１００は、メンテナンス等の際に、係合構造部７の係合状態を解除し、前面パネル４を回動させて前面ケーシング３の前面側が開かれる。ここで、前面パネル４と前面ケーシング３との境界部分には、係合構造部７の係合状態を解除する際に、使用者が指を掛ける凹形状の指掛け部５０が形成されている。指掛け部５０は、係合構造部７の係合状態を解除して前面パネル４を回動させるために必要であるが、形状によっては非常に目立つため、室内機１００の外観の意匠性を損ねる問題がある。特に、前面ケーシング３が傾斜面部５を有し、該傾斜面部５に指掛け部５０を形成した室内機１００では、前面側から見ると、指掛け部５０の存在が非常に目立つため、外観の意匠性が非常に損なわれる問題があった。
【００２４】  そこで、図７及び図８に示すように、本実施の形態における傾斜面部５には、閉じた状態の前面パネル４を開く方向に回動させる際に、使用者が指を掛ける凹状の指掛け部５０が、前面側から背面側に向かって漸次狭まる台形状として設けられている。つまり、本実施の形態の空気調和機の室内機１００では、台形状の広幅部分で指掛け部５０としての機能を確保できると共に、前面側から見た場合に、台形状の狭幅部分でできるだけ存在を目立たなくすることができ、意匠性に優れた外観を呈することができる。
【００２５】  図６に示すように、指掛け部５０は、使用者の指を指先から第一関節の半分程度の位置まで入れることができる深さであることが望ましい。指先から第一関節の半分程度の位置まで指を入れることができれば、前面パネル４の縁部に指をしっかりと掛けることができ、係合構造部７の係合状態を解除する作業がらくになるからである。
【００２６】  また、図８に示すように、指掛け部５０は、係合構造部７に隣接する位置に設けられている。つまり、指掛け部５０に入れた使用者の指の力が、係合構造部７に直接伝わるので、係合構造部７の係合状態を容易に解除することができる。但し、指掛け部５０は、係合構造部７の係合状態を解除することができれば、係合構造部７から離れた位置に設けてもよい。
【００２７】  また、図６〜図８に示すように、指掛け部５０は、係合構造部７によってケーシング１の内面側が塞がれている。具体的には、指掛け部５０は、係合構造部７の係止溝部７１の外面よって内面側が塞がれている。したがって、室内機１００は、指掛け部５０を通じて風又は埃がケーシング１の内部に進入する事態を防ぐことができるので、故障の原因を未然に防ぐことができる。
【００２８】  以上に、本発明を実施の形態に基づいて説明したが、本発明は上述した実施の形態の構成に限定されるものではない。例えば、図示した室内機１００の内部構成は、一例であって、上述した内容に限定されるものではなく、他の構成要素を含んでもよい。また、室内機１００は、係合構造部７を有さない構成としてもよい。要するに、本発明は、その技術的思想を逸脱しない範囲において、当業者が通常に行う設計変更及び応用のバリエーションの範囲を含むものである。
【符号の説明】
【００２９】  １  ケーシング、２  背面ケーシング、３  前面ケーシング、４  前面パネル、５  傾斜面部、６  回動機構部、７  係合構造部、１０  熱交換器、１１  電気品箱、１２  フィルタ、１３  風向調整板、３０  前面吸込口、３１  上面吸込口、３２  吹出口、５０  指掛け部、６０  回動軸、６１  軸受部、７０  係止突起部、７１  係止溝部、１００  室内機。
【図１】
2019180782.tif 000003
【図２】
2019180782.tif 000004
【図３】
2019180782.tif 000005
【図４】
2019180782.tif 000006
【図５】
2019180782.tif 000007
【図６】
2019180782.tif 000008
【図７】
2019180782.tif 000009
【図８】
2019180782.tif 000010
【国際調査報告】
2019180782.tif 000011
2019180782.tif 000012